(57)【要約】      （修正有）【課題】対象となる音名だけを表示して、原調のコードと移調先のコードとの関係が一目で分かり、また、カポタストを用いる際に、所定の調に移調するのに、どのフレットにカポタストを取り付ければよいかが容易に分かる移調表示器を提供する。【解決手段】表面外周部に、１２音階の音名を、周方向に等間隔で順に表示している大径板状体１及び小径板状体２と、周方向に１２等分した各部分の内、１か所を基準位置とし、基準位置及びそこから周方向に数えて２番目，４番目，５番目，７番目及び９番目の部分に、一部を切り欠いた窓状部分を設けた窓付板状体３とを用いる。そして、大径板状体１の上に窓付板状体３を同心状に回動自在に重ね合わせ、窓付板状体３の上に小径板状体２を同心状に回動自在に重ね合わせる。さらに、窓付板状体３に、基準位置を示すマーク３２及び１，２，３，・・・，１１の番号を順に付す。【選択図】図１
0003195585.tif 000002
【実用新案登録請求の範囲】
【請求項１】
円形又は正多角形をした大径板状体の上に、円形又は正多角形をした小径板状体と窓付板状体とを同心状に回動自在に重ね合わせたものであって、
前記大径板状体及び小径板状体は、上面外周部に、１２音階の音名を、周方向に等間隔で順に表示しており、小径板状体は、その外周が大径板状体の音名表示部分より内側になる大きさであり、
前記窓付板状体は、前記大径板状体に表示された音名を覆うことができるだけの径を有しており、周方向に１２等分した各部分の内、１か所を基準位置とし、該基準位置及びそこから周方向に数えて２番目，４番目，５番目，７番目及び９番目の部分に、前記大径板状体に表示された音名が見えるように一部を切り欠いた窓状部分が設けられたものであることを特徴とする移調表示器。
【請求項２】
大径板状体の上に窓付板状体を重ね合わせ、該窓付板状体の上に小径板状体を重ね合わせ、該小径板状体の上面に、手の指を係止できる高さを有する突状部を設けたことを特徴とする請求項１に記載の移調表示器。
【請求項３】
前記大径板状体と窓付板状体とを同径にし、大径板状体の上に小径板状体、窓付板状体の順に重ね合わせ、該窓付板状体の前記窓状部分は、前記大径板状体に表示された音名と、前記小径板状体に表示された音名の両方が見えるように設けられ、小径板状体は、音名が表示されている部分から外方に延び、小径板状体を前記大径板状体に重ね合わせたとき、大径板状体の外周から先端部が突出するだけの長さを有する突片を設け、該突片の、前記大径板状体に表示されている音名と重なる部分に透孔が設けられ、それを通して、その下にある音名が見えるようにしたことを特徴とする請求項１に記載の移調表示器。
【請求項４】
前記窓付板状体を半透明にしたことを特徴とする請求項１，２又は３に記載の移調表示器。
【請求項５】
前記窓付板状体の１２等分した各部分で、上記基準位置に、基準位置であることを示すマークを付し、以下、周方向に１から順に番号を付したことを特徴とする請求項１，２，３又は４に記載の移調表示器。
【考案の詳細な説明】
【技術分野】
【０００１】
本考案は、ギターやピアノの弾き語り等で自分の声域に合ったキーに移調する際に、原調のコードに対応させて移調先のコードが一目で分かるように表示できる移調表示器に関するものである。
【背景技術】
【０００２】
ギターやピアノの弾き語りで歌を歌う場合、歌う人の声域に合わせてキーを選択し移調することにより、その人にとって最も歌いやすい音域で歌うようにしている。しかしながら、コードについて豊富な知識がないと、この移調の作業が非常に面倒になる。そこで従来、例えば特許文献１，特許文献２に示されるように、原調のコードに対応させて移調先のコードが一目で分かるようにした移調表示器が提案されている。
【０００３】
図１０は、従来の移調表示器の一例を示す図である。図１０は、従来の移調表示器を平面図と正面図で示している。図１０において、１１は大径板状体、１２は小径板状体、１３は軸芯である。径が大きい円形の大径板状体１１と径が小さい円形の小径板状体１２の表面外周部には、それぞれＣ，Ｃ＃（Ｄ♭），Ｄ，Ｄ＃（Ｅ♭），Ｅ，Ｆ，・・・のように、１２音階の全１２種の音名を、周方向に等間隔で表示している。そして、大径板状体１１と小径板状体１２の中心に透孔を穿ち、それらの中に軸芯１３を貫通させて、大径板状体１１の上で小径板状体１２が回動できるようにしている。
【０００４】
次に、この移調表示器の使用方法について説明する。例えば、ハ長調（Ｃメジャー）の曲をト長調（Ｇメジャー）に移調する場合、大径板状体１１に対して小径板状体１２を回転させて、大径板状体１１の「Ｃ」の位置に小径板状体１２の「Ｇ」を合わせる。その結果、大径板状体１１のハ長調の音階を構成する音Ｃ，Ｄ，Ｅ，Ｆ，・・・に対応して、小径板状体１２に、ト長調の音階を構成する音Ｇ，Ａ，Ｂ，Ｃ，・・・が表示される。
【０００５】
そして、ハ長調の曲中のコードＣは、ト長調に移調すればコードＧになり、ハ長調の曲中のコードＤｍは、ト長調に移調すればコードＡｍになるというように、移調表示器の表示に従って、簡単に移調先のコードに置き換えることができる。
【０００６】
ハ長調（Ｃメジャー）の曲を、ヘ長調（Ｆメジャー）に移調する場合も同様に、大径板状体１１の「Ｃ」の位置に小径板状体１２の「Ｆ」を合わせることにより、移調先のコードが一目で分かる。ヘ長調（Ｆメジャー）の曲をト長調（Ｇメジャー）に移調する場合等、他の組み合わせも同様である。このように、原調のコードに対応させて移調先のコードが一目で分かるようになる。
【先行技術文献】
【特許文献】
【０００７】
【特許文献１】特開２００９−２０５１２０号公報
【特許文献２】実開平６−６８０９２号公報
【考案の概要】
【考案が解決しようとする課題】
【０００８】
それぞれの曲は、ハ長調，ニ長調のように一つのキーが決められ、その曲で使用されるコードは、決められたキーにおける音階を構成する音を根音(Root)とするものであり、それ以外のコードはほとんど使用されない。例えば、ハ長調（Ｃメジャー）の曲であれば、ハ長調の音階を構成するＣ，Ｄ，Ｅ，Ｆ，Ｇ，Ａ，Ｂの音を根音(Root)とするコードＣ，
Ｄｍ，Ｅｍ，Ｆ，・・・等が使用される。それに対して、上記従来の移調表示器では、本来表示すべき音名以外のものも混在して表示されてしまい、どれが対象とする音名であるか非常に分かりにくいという問題点があった。
【０００９】
また、ギターでは、移調する手段として、カポタストを用いることもあるが、上記従来の移調表示器では、カポタストをどのフレットに取り付ければ何調に移調できるのかということを表示できないという問題点もあった。
【００１０】
本考案は、そのような問題点に鑑み、原調及び移調の対象となる音名だけを表示して、原調のコードと移調先のコードとの関係が一目で分かるようにすることを目的とするものである。また、カポタストを用いる場合は、所定のキーに移調するのに、どのフレットにカポタストを取り付ければよいかが容易に分かるようにすることを目的とするものである。
【課題を解決するための手段】
【００１１】
前記課題を解決するため、本願の請求項１にかかる考案は、円形又は正多角形をした大径板状体の上に、円形又は正多角形をした小径板状体と窓付板状体とを同心状に回動自在に重ね合わせたものであって、前記大径板状体及び小径板状体は、上面外周部に、１２音階の音名を、周方向に等間隔で順に表示しており、小径板状体は、その外周が大径板状体の音名表示部分より内側になる大きさであり、前記窓付板状体は、前記大径板状体に表示された音名を覆うことができるだけの径を有しており、周方向に１２等分した各部分の内、１か所を基準位置とし、該基準位置及びそこから周方向に数えて２番目，４番目，５番目，７番目及び９番目の部分に、前記大径板状体に表示された音名が見えるように一部を切り欠いた窓状部分が設けられたものであることを特徴とする。
【００１２】
また、本願の請求項２にかかる考案は、請求項１にかかる考案において、大径板状体の上に窓付板状体を重ね合わせ、該窓付板状体の上に小径板状体を重ね合わせ、該小径板状体の上面に、手の指を係止できる高さを有する突状部を設けたことを特徴とする。
【００１３】
また、本願の請求項３にかかる考案は、請求項１にかかる考案において、前記大径板状体と窓付板状体とを同径にし、大径板状体の上に小径板状体、窓付板状体の順に重ね合わせ、該窓付板状体の前記窓状部分は、前記大径板状体に表示された音名と、前記小径板状体に表示された音名の両方が見えるように設けられ、小径板状体は、音名が表示されている部分から外方に延び、小径板状体を前記大径板状体に重ね合わせたとき、大径板状体の外周から先端部が突出するだけの長さを有する突片を設け、該突片の、前記大径板状体に表示されている音名と重なる部分に透孔が設けられ、それを通して、その下にある音名が見えるようにしたことを特徴とする。
【００１４】
また、本願の請求項４にかかる考案は、請求項１，２又は３にかかる考案において、前記窓付板状体を半透明にしたことを特徴とする。
【００１５】
また、本願の請求項５にかかる考案は、請求項１，２，３又は４にかかる考案において、前記窓付板状体の１２等分した各部分で、上記基準位置に、基準位置であることを示すマークを付し、以下、周方向に１から順に番号を付したことを特徴とする。
【考案の効果】
【００１６】
本考案のドア施錠装置は、次のような効果を奏する。
すなわち、請求項１にかかる考案においては、上面外周部に、１２音階の音名を、周方向に等間隔で順に表示した大径板状体及び小径板状体とともに、周方向に１２等分した各部分の内、１か所を基準位置とし、該基準位置及びそこから周方向に数えて２番目，４番
目，５番目，７番目及び９番目の部分に、大径板状体に表示された音名が見えるように、一部を切り欠いた窓状部分を設けた窓付板状体を、同心状に回動自在に重ね合わせたので、窓付板状体の窓状部分を通して、大径板状体上の対象とする音名だけを表示するようにしたことにより、原調のコードと移調先のコードとの関係が一目で容易に分かるようになる。
【００１７】
また、請求項２にかかる考案においては、請求項１にかかる移調表示器において、大径板状体の上に窓付板状体を重ね合わせ、該窓付板状体の上に小径板状体を重ね合わせ、該小径板状体の上面に、手の指を係止できる高さを有する突状部を設けたので、突起に指を掛けることにより小径板状体を容易に回転操作することができる。
【００１８】
また、請求項３にかかる考案においては、請求項１にかかる移調表示器において、大径板状体と窓付板状体とを同径にし、大径板状体の上に小径板状体、窓付板状体の順に重ね合わせ、該窓付板状体の前記窓状部分は、前記大径板状体に表示された音名と、前記小径板状体に表示された音名の両方が見えるように設けられ、小径板状体は、音名が表示されている部分から外方に延び、小径板状体を前記大径板状体に重ね合わせたとき、大径板状体の外周から先端部が突出するだけの長さを有する突片を設け、該突片の、前記大径板状体に表示されている音名と重なる部分に透孔が設けられ、それを通して、その下にある音名が見えるようにした。そのようにして、窓付板状体の窓状部分を通して、大径板状体上及び小径板状体上の対象とする音名だけを表示するようにしたことにより、原調のコードと移調先のコードとの関係が一目で容易に分かるようになる上、径の異なる小径板状体が窓付板状体の下側に隠れて、外見がすっきりする。また、突片の先端部が大径板状体と窓付板状体の外周から突出するようにしたので、小径板状体の回転操作が容易になる。
【００１９】
また、請求項４にかかる考案においては、請求項１，２又は３にかかる移調表示器において、前記窓付板状体を半透明にしたので、窓状部分の間に隠れる音名も判別でき、それらの音名に対応する調でのカポタストの取付位置も分かり易くなる。
【００２０】
また、請求項５にかかる考案においては、請求項１，２，３又は４にかかる移調表示器において、前記窓付板状体の１２等分した各部分で、上記基準位置に、基準位置であることを示すマークを付し、以下、周方向に１から順に番号を付したので、カポタストを用いる際に、所定のキーに移調するのに、それらの番号に基づいて、何番目のフレットにカポタストを取り付ければよいのかが容易に分かる。
【図面の簡単な説明】
【００２１】
【図１】本考案の第１実施例を示す図である。
【図２】第１実施例の大径板状体を示す図である。
【図３】第１実施例の小径板状体を示す図である。
【図４】第１実施例の窓付板状体を示す図である。
【図５】カポタストを使って移調する場合の使用例を示す図である。
【図６】本考案の第２実施例を示す図である。
【図７】第２実施例の小径板状体を示す図である。
【図８】第２実施例の窓付板状体を示す図である。
【図９】第２実施例においてカポタストを使って移調する場合の使用例を示す図である。
【図１０】従来の移調表示器の一例を示す図である。
【考案を実施するための形態】
【００２２】
以下、本考案の実施例を図面に基づいて詳細に説明する。
【実施例１】
【００２３】
図１は、本考案の第１実施例を示す図である。図１は、第１実施例に係る移調表示器を平面図と正面図で示している。図１において、１は大径板状体，２は小径板状体，３は窓付板状体，４は軸芯である。
【００２４】
大径板状体１は、紙，プラスチック，金属等の適宜材料で形成され、図２に示すように、中心に透孔１０を有し、表面外周部には、１２音階の全１２種の音名Ｃ，Ｃ＃，Ｄ，・・・，Ｂが、周方向に等間隔で順に表示されている。小径板状体２も、紙，プラスチック，金属等の適宜材料で形成され、図３に示すように、中心に透孔２０を有し、表面外周部に、全１２種の音名Ｃ，Ｃ＃，Ｄ，・・・，Ｂが、周方向に等間隔で順に表示されている。
【００２５】
さらに、小径板状体２の上面の各音名が表示されている部分の境界部には、手の指を係止できるだけの高さを有する突条２１を設けている。小径板状体２は、円板状をしているが、表面に凹凸がないと、大径板状体１の上で小径板状体２を回転させる際に、指が滑って操作しにくいが、この突条２１を設ければ、それに指先を掛けることにより回転操作が容易になる。なお、突条２１の代わりに、他の形態の突状部を設けてもよい。例えば、小径板状体２の表面に適宜の突起を設けてもよいし、小径板状体２の表面の各音名を示す文字を盛り上げて形成し、それらに指を掛けて操作できるようにしてもよい。
【００２６】
窓付板状体３も、紙，プラスチック，金属等の適宜材料で形成され、図４に示すように、中心に透孔３０を有し、周方向に１２等分した各部分の内の１か所を基準位置とし、該基準位置及びそこから周方向に数えて２番目，４番目，５番目，７番目，９番目及び１１番目の部分の外周部を切り欠いて窓状部分３１を設けている。これらの窓状部分３１は、７音階の音名のみが表示されるようにするもので、例えば、ハ長調（Ｃメジャー）であれば、ハ長調の音階を構成するＣ，Ｄ，Ｅ，Ｆ，Ｇ，Ａ，Ｂが表示される。
【００２７】
なお、いずれの調においても、窓付板状体３の窓状部分３１に表示される七つの音のそれぞれを根音とし、その３度上の音と５度上の音の３音からなるコード（３和音）が用いられるが、上記窓付板状体３の基準位置及びそこから５番目，７番目の部分にある窓状部分３１に見える音（Ｃメジャーでは、Ｃ，Ｆ，Ｇ）を根音とするコードは、主要３和音で、曲の基本的なコードとなる。また、基準位置から２番目，４番目，９番目及び１１番目の部分にある窓状部分３１に見える音（Ｃメジャーでは、Ｄ，Ｅ，Ａ，Ｂ）を根音とするコードは、副３和音で、曲において装飾的な役割を持つ。そこで、窓付板状体３の基準位置及びそこから５番目，７番目の部分にある窓状部分３１と、基準位置から２番目，４番目，９番目及び１１番目の部分にある窓状部分３１に、マーク等をつけて両者を判別できるようにしてもよい。
【００２８】
また、上記１２等分した各部分で、上記窓状部分３１の内側に位置する部分の上記基準位置に、そこが基準位置であることを示すマーク３２を付し、以下、時計回りに１，２，３，・・・，１１の番号が順に付されている。後述するが、これらの番号は、カポタストの取付位置を示すことになる。また、マーク３２の形状は、適宜のものを採用できる。
【００２９】
そして、大径板状体１の上に窓付板状体３を、中心の透孔１０と透孔３０とを合わせて、同心状に重ね合わせ、さらに、窓付板状体３の上に小径板状体２を、中心の透孔３０と透孔２０とを合わせて、同心状に重ね合わせる。そして、大径板状体１の透孔１０、窓付板状体３の透孔３０、及び小径板状体２の透孔２０に軸芯４を貫通させ、該軸芯４で大径板状体１，窓付板状体３及び小径板状体２を回動自在に軸支して、図１に示したような移調表示器を形成している。
【００３０】
次に、図１を参照しながら、この移調表示器の使用方法を説明する。まず、ある調から別の調に移調する場合を、ＣメジャーからＧメジャーに移調する場合を例にして説明する。最初に、大径板状体１の「Ｃ」の位置に窓付板状体３の基準位置を示すマーク３２を合わせ、さらに、小径板状体２の「Ｇ」を窓付板状体３のマーク３２に合わせる。その際、小径板状体２上面に設けた突条２１に指を掛けて小径板状体２を回転させれば操作が容易になる。
【００３１】
その結果、窓付板状体３の窓状部分３１に表示されるＣ，Ｄ，Ｅ，Ｆ，Ｇ，Ａ，ＢがＣメジャーの曲で奏されるコードＣ，Ｄｍ，Ｅｍ，Ｆ，Ｇ，Ａｍ，Ｂｍ（−５）等の根音を示すことになる。そして、小径板状体２において、それらの各コード名に対応した位置にあるＧ，Ａ，Ｂ，Ｃ，Ｄ，Ｅ，Ｆ＃が、それぞれの移調先のコードの根音を示すことになる。例えば、コードＣはコードＧに、コードＤｍはコードＡｍに、コードＥｍはコードＢｍに、コードＦはコードＣに・・・と変換すれば、ＣメジャーからＧメジャーへの移調が容易にできる。
【００３２】
なお、上記説明では、ＣメジャーからＧメジャーに移調する場合を例にして説明したが、他の調間での移調も同様にして容易にできる。
【００３３】
ところで、窓付板状体３の窓状部分３１の内、基準位置から１１番目の部分に表示される音を根音とするコード、上記例ではＢｍ（−５）のコードは、一般に、使用される回数が少ない。そこで、基準位置から１１番目の部分には窓状部分３１を設けずに、基準位置及びそこから周方向に数えて２番目，４番目，５番目，７番目及び９番目の部分に窓状部分３１を設けるようにしてもよい。
【００３４】
一方、カポタストを使って、ある調から別の調に移調する場合を、図５を参照しながら説明する。例えば、ＣメジャーからＤメジャーへ移調する場合、まず、小径板状体２の「Ｃ」の部分を窓付板状体３の基準位置を示すマーク３２を合わせる。その際、上記の場合と同様に、小径板状体２上面に設けた突条２１に指を掛けて小径板状体２を回転させれば操作が容易になる。
【００３５】
そして、窓付板状体３に付されている番号の内、小径板状体２の「Ｄ」の部分に対応する番号「２」がカポタストをセットするフレット位置を示す。すなわち、ＣメジャーからＤメジャーへ移調したいとき、第２フレットにカポタストをセットすれば、Ｃメジャーの各コードの弦の押さえ方で、Ｄメジャーのコードを奏でることができる。
【実施例２】
【００３６】
図６は、本考案の第２実施例を示す図である。この実施例では、大径板状体１の形状は、実施例１のものと同様であるが、小径板状体２と窓付板状体３の形状は、実施例１のものと異なっており、それらを重ね合わせる順番も異なっている。
【００３７】
すなわち、小径板状体２は図７に示すように、音名を表示している部分から径方向に突出させて突片２２を設け、その中に透孔２３を設けている。その突片２２は、小径板状体２を大径板状体１と重ね合わせたとき、大径板状体１の外周から先端部が少し突出するほどの長さにする。また、透孔２３は、大径板状体１に表示されている音名Ｃ，Ｃ＃，Ｄ，・・・，Ｂと重なる位置に設けられ、それを通して、その下にある音名が見えるようにしている。
【００３８】
そして、窓付板状体３は図８に示すように、大径板状体１と同径の板状体状をしており、周方向に１２等分した各部分の内の一箇所を１番目として、以下３番目，５番目，６番目，８番目，１０番目及び１２番目の部分の外周部をくり抜いて窓状部分３１を設けてい
る。この窓状部分３１は、第１実施例の窓付板状体３の窓状部分３１と同様に、音階の七つの音名のみが表示されるようにするものである。
【００３９】
また、第１実施例の窓付板状体３と同様に、上記１２等分した各部分で、上記窓状部分３１の内側に位置する部分の上記１番目の位置に、そこが基準位置であることを示すマーク３２を付し、以下、時計回りに１，２，３，・・・，１１の番号を順に付して、カポタストの取付位置を示すようにしている。
【００４０】
以上、説明したような大径板状体１，小径板状体２，窓付板状体３を使って、図６に示したような移調表示器を作成する。その際、まず、大径板状体１の上に小径板状体２を同心状に重ね合わせ、さらに、その小径板状体２の上に窓付板状体３を同心状に重ね合わせて、それらを軸芯４で回動自在に軸支する。その結果、図６に示したような移調表示器になる。
【００４１】
次に、図６を参照しながら、この移調表示器の使用方法を説明する。まず、ある調から別の調に移調する場合を、ＣメジャーからＧメジャーに移調する場合を例にして説明する。最初に、大径板状体１の「Ｃ」の位置に窓付板状体３の基準位置を示すマーク３２を合わせ、さらに、小径板状体２の「Ｇ」を窓付板状体３のマーク３２に合わせる。その際、大径板状体１と窓付板状体３の外周部から突出している小径板状体２の突片２２に指を掛けて小径板状体２を回転させれば操作が容易になる。
【００４２】
その結果、窓付板状体３の窓状部分３１に表示されるＣ，Ｄ，Ｅ，Ｆ，Ｇ，Ａ，ＢがＣメジャーの曲で奏されるコードの根音を示すことになる。そして、小径板状体２において、それらの各コード名に対応した位置にあるＧ，Ａ，Ｂ，Ｃ，Ｄ，Ｅ，Ｆ＃が、それぞれの移調先のコード根音を示すことになる。例えば、コードＣはコードＧに、コードＤｍはコードＡｍに、コードＥｍはコードＢｍに、コードＦはコードＣに・・・と変換すれば、ＣメジャーからＧメジャーへの移調が容易にできる。
【００４３】
また、カポタストを使って、ある調から別の調に移調する場合を、図９を参照しながら説明する。例えば、ＣメジャーからＤメジャーへ移調する場合、まず、小径板状体２の「Ｃ」の部分を窓付板状体３の基準位置を示すマーク３２を合わせる。その際、上記の場合と同様に、小径板状体２上面に設けた突条２１に指を掛けて小径板状体２を回転させれば操作が容易になる。
【００４４】
そして、窓付板状体３に付されている番号の内、小径板状体２の「Ｄ」の部分に対応する番号「２」がカポタストをセットするフレット位置を示す。すなわち、ＣメジャーからＤメジャーへ移調したいとき、第２フレットにカポタストをセットすれば、Ｃメジャーの各コードの弦の押さえ方で、Ｄメジャーのコードを奏でることができる。
【００４５】
なお、上記各実施例では、窓付板状体３を不透明の材料で形成したが、窓付板状体３を半透明の材料を使って形成すれば、窓状部分３１を通して対象とする音名を明示しながら、窓状部分３１の間に隠れる音名も判別でき、それらの音名に対応する調でのカポタストの取付位置も分かり易くなる。また、上記各実施例では、大径板状体１，小径板状体２，窓付板状体３の形状を円形にしたが、正１２角形等、正多角形にしてもよい。
【符号の説明】
【００４６】
１  大径板状体
２  小径板状体
３  窓付板状体
４  軸芯
２１  突条
２２  突片
２３  透孔
３１  窓状部分
３２  マーク
【図１】
0003195585.tif 000003
【図２】
0003195585.tif 000004
【図３】
0003195585.tif 000005
【図４】
0003195585.tif 000006
【図５】
0003195585.tif 000007
【図６】
0003195585.tif 000008
【図７】
0003195585.tif 000009
【図８】
0003195585.tif 000010
【図９】
0003195585.tif 000011
【図１０】
0003195585.tif 000012